(57)【要約】      （修正有）【課題】現場で容易に組立ができ、耐水圧強度が完全である浸水防止装置を提供する。【解決手段】左右の縦枠１４と、防水板２を床に収めるための底枠１３、防水板２、及び、防水板を上下に開閉するためのアーム３を備え、アーム３は、防水板２を上下に開閉し、折り畳んだアーム３を支えるための上部スプリング丁番５ａ、中央スプリング丁番５ｂ、下部スプリング丁番５ｃ、及び防水板２を平常時はスプリングラッチ６を受けて防水板２を床面Ａに水平に保持する機能を持つラッチストッパー７を備え、防水板２は、平常時は底枠１３の中に水平に収納されて、浸水時にラッチ開放スイッチを操作することによって、スプリング丁番５ａとスプリング丁番５ｂ、スプリング丁番５ｃを備えたアーム３の働きで、自動的に回転して垂直に立ち上がり、直線状になったアーム３が防水板２を支えることで、浸水を防止。【選択図】図１
2014092023.tif 000002
【特許請求の範囲】
【請求項１】
左右の縦枠１４と、防水板２を床に収めるための底枠１３、防水板２、及び防水板２を上下に開閉するためのアーム３を備え、
防水板２は、長方形状の金属や、樹脂その他の素材による板であり、
アーム３は、防水板２を上下に開閉し、折り畳んだアーム３を支えるための上部スプリング丁番５ａ、中央スプリング丁番５ｂ、下部スプリング丁番５ｃ、及び、防水板２を平常時はスプリングラッチ６を受けて防水板２を床面Ａに水平に保持する機能を持つラッチストッパー７を備え、
前記アーム３は、必要な強度を有するフラットバー又は鋼板の切り板２枚を、直線になろうとする反発力を有するスプリング丁番５ｂで綴り、上部はスプリング丁番５ａで防水板２の上部に、下部はスプリング丁番５ｃで底枠１３に、それぞれ強固に結合され、
防水板２は、平常時は底枠１３の中に水平に収納されて、浸水時にラッチ開放スイッチ１０を操作することによって、スプリング丁番５ａとスプリング丁番５ｂ、スプリング丁番５ｃを備えたアーム３の働きで、自動的に回転して垂直に立ち上がり、直線状になったアーム３で防水板２を支えることで、浸水を防止することを特徴とする浸水防止装置。
【発明の詳細な説明】
【技術分野】
【０００１】  本発明は、地下街、地下室、地下道等の、災害時における浸水を防止する装置に関するものである。
【背景技術】
【０００２】  豪雨、洪水時等に浸水被害を防止する装置としては、従来、金属製のパネルを、開口部に構築する方式が主流で、近年防水シートを一定の高さに張り巡らせる方式が実用化されている。【０００３】  金属パネルの場合は、都度器材を現場に運び込んで組み立てる必要があり、防水シートは開口部の床面に収納しておくことが可能であるが、引き上げた後、左右を構造体にボルト等を使って締め付ける等の方法で、強固に圧着することが不可欠である。【０００４】  従って、何れの方式においても、人手と時間を必要とし、これを省略又は軽減することが、寸時を争う浸水防止装置の課題とされている。【０００５】  同時に、強大な水圧に対抗するためには、パネル及び防水シートに相応の強度が必要であり、現状では、補強のために支柱（中柱）を一定間隔で立てることで対応しているが、その作業時間を短縮することも、課題の一つである。
【先行技術文献】
【特許文献】
【０００６】
【特許文献１】実用新案登録第３１４７００３号公報
【発明の概要】
【発明が解決しようとする課題】
【０００７】  本発明は、１枚ものの防水板（鋼板、又はパネル）を開口部の床面に、その上を常時人又は車両が通行できる状態で、設置しておき、非常時に、ストッパー解除スイッチを操作することによって、スプリング丁番を仕込んだアームの反発力を利用して、防水板を直立させ、開口面を塞いで、浸水を防止するもので、アームがパネルを左右の壁面に圧着せしめると同時に、水圧方向に対しては、完全に補強材として機能するものである。【０００８】  ストッパー解除スイッチは、指先で容易に操作することができ、ワンタッチで瞬時に防水扉が形成されるので、人手を必要とせず、時間短縮という課題をも一挙に解決する。
【課題を解決するための手段】
【０００９】  左右の縦枠１４と、防水板２を床に収めるための底枠１３、防水板２、及び防水板２を上下に開閉するためのアーム３を備え、
防水板２は、長方形状の金属や、樹脂その他の素材による板であり、
アーム３は、防水板２を上下に開閉し、折り畳んだアーム３を支えるための上部スプリング丁番５ａ、中央スプリング丁番５ｂ、下部スプリング丁番５ｃ、及び、防水板２を平常時はスプリングラッチ６を受けて防水板２を床面Ａに水平に保持する機能を持つラッチストッパー７を備え、
前記アーム３は、必要な強度を有するフラットバー又は鋼板の切り板２枚を、直線になろうとする反発力を有するスプリング丁番５ｂで綴り、上部はスプリング丁番５ａで防水板２の上部に、下部はスプリング丁番５ｃで底枠１３に、それぞれ強固に結合され、
防水板２は、平常時は底枠１３の中に水平に収納されて、浸水時にラッチ開放スイッチ１０を操作することによって、スプリング丁番５ａとスプリング丁番５ｂ、スプリング丁番５ｃを備えたアーム３の働きで、自動的に回転して垂直に立ち上がり、直線状になったアーム３で防水板２を支えることで、浸水を防止することを特徴とする浸水防止装置である。
【発明の効果】
【００１０】  本発明の浸水防止装置は、ソレノイドを利用して電気的な指示でセットアップを行うことができ、浸水を感知するセンサーと、予備電源を組み合わせることにより、停電時においても浸水防止装置が作動して、無人で、災害を未然に防止することが可能である。【００１１】  耐水圧強度を確保するという課題についても、防水板をスプリング丁番の働きで跳ね上げる機能を持つアーム３が、作動後は防水板２及び底枠１３とともに三角形を形成するので、その間隔を狭め、開口幅に応じて数を増やすことによって、限りなく強度を増すことが可能である。
【図面の簡単な説明】
【００１２】
【図１】本発明の浸水防止装置の構成  （ａ）斜視図、（ｂ）断面図
【図２】本発明の浸水防止装置の動作図（収納状態）  （ａ）斜視図、（ｂ）断面図
【図３】本発明の浸水防止装置の動作図（起動した直後の状態）  （ａ）斜視図、（ｂ）断面図
【図４】本発明の浸水防止装置の動作図（完全に立ち上がって、開口面を塞いだ状態）  （ａ）斜視図、（ｂ）断面図
【図５】本発明の浸水防止装置の制御系統図
【発明を実施するための形態】
【００１３】図１は、本発明の浸水防止装置の構成で、（ａ）は斜視図、（ｂ）は断面図である。
浸水防止装置１は、左右の縦枠１４と、防水板２を床に収めるための底枠１３、防水板２、及び、防水板２を上下に開閉するためのアーム３からなる。
防水板２は、長方形状の金属や、樹脂その他の素材による板である。
アーム３と、防水板２を上下に開閉し、折り畳んだアーム３を支えるための上部スプリング丁番５ａ、中央スプリング丁番５ｂ、下部スプリング丁番５ｃ及び、防水板２を平常時はスプリングラッチ６を受けて防水板２を床面Ａに水平に保持する機能を持つラッチストッパー７を備える。
【００１４】図面に基づき、本発明の実施例を説明すると、開口部の床面Ａに底枠１３、左右の壁Ｂに縦枠１４を固定し、防水板２を、直立した時に縦枠１４に嵌合した水密ゴム８に接合するように丁番４又はヒンジで底枠１３の開口部下の１辺に固定した上で、回転させて底枠１３の中に水平に収める。底枠１３は床面に埋め込んでも、床面に直接設置してスロープをつけてもよい。
なお防水板２の、直立した時に開口部床面の底枠に接する一辺には、水密ゴムが嵌合され、防水に完璧を期していることは当然である。
【００１５】防水板２を保持するアーム３は、必要な強度を有するフラットバー又は鋼板の切り板２枚を、直線になろうとする反発力を有するスプリング丁番５ｂで綴り、上部はスプリング丁番５ａで防水板の上部に、下部はスプリング丁番５ｃで底枠１３に、それぞれ強固に結合されている。
【００１６】底枠１３には予めスプリングラッチ６を組み込んでおき、防水板２には位置を合わせて、ラッチストッパー７を取り付けておく。
防水板２を、スプリング丁番５ａ及びスプリング丁番５ｂ，スプリング丁番５ｃの反発力に逆らってアーム３を折りたたみながら回転させて底面まで押し下げると、スプリングラッチ６がラッチストッパー７によって固定され、人或いは車両がその上を通行できる平常時の状態になる。
【００１７】スプリングラッチ６はワイヤー１１によってラッチ開放スイッチ１０と連結し、ワイヤー１１は屈曲自在なフレキシブルチューブ１２によって保護されている。
豪雨、洪水時にラッチ開放スイッチ１０を操作することによって、スプリングラッチ６がワンタッチでラッチストッパー７から脱出し、床面に収めたアーム３がジャンプアップして、防水板２が一挙に回転直立し、防水扉を形成するのである。
【００１８】ラッチ開放スイッチ１０は、悪戯による事故を予防するために、スイッチボックス９に収めることが望ましいが、事故の懸念がなければ、適当な場所に露出して設置しても差し支えない。
【００１９】なお、浸水を感知するセンサーと連動せしめる場合は、ワイヤー１１をソレノイドに連結しておき、常用電源或いは予備電源によって自動的にスプリングラッチ６を開放して浸水防止装置をセットアップすることが可能である。
【００２０】図２から図４に基づき、本発明の浸水防止装置の動作を説明する。
図２は、本発明の浸水防止装置の動作図（収納状態）、図３は、本発明の浸水防止装置の動作図（起動した直後の状態）、図４は、本発明の浸水防止装置の動作図（完全に立ち上がって、開口面を塞いだ状態）を示す。
【００２１】図２の動作の説明
本発明の浸水防止装置は、平常時は図２（ａ）に示すように縦枠１４が壁面Ｂに、底枠１３が床面Ａに固定され、底枠１３には図２（ｂ）に示すようにアーム３が屈曲した状態で収められ、それを覆う形で防水板２が水平に収められている。
もちろん防水板２の裏面、及びそれを受ける底面には、アーム３を妨げない位置に補強が施され、その上を人や車両が通行しても支障が生じない強度を有している。
【００２２】  図３の動作の説明
本発明の浸水防止装置が起動した直後の状態を示している。スイッチボックス９の中に収められているラッチ開放スイッチ１０を操作すると、底枠１３に組み込まれているスプリングラッチ６が底枠内に引き込まれてラッチストッパー７が開放され、瞬時に防水板２が上昇する。
図３（ｂ）に示すスプリング丁番５ａ、５ｂ、５ｃはいずれも屈曲した状態から直線になろうとする強力な反発力を有しており、その力が同時に発揮されて一挙にアーム３が直線状になり、防水板２が直立するのである。
スプリング丁番を図に示す３か所に組み込んだところが本発明の眼目であり、寸時を争う浸水防止装置にそのメカニズムを活用しようとするのが本申請の主旨である。
【００２３】  図４の動作の説明
防水板２が直立して、水密ゴム８を介して縦枠１４に圧着し、壁内への浸水を完全に防止している状態を示す。符号Ｃは水位、符号Ｄは水圧を示す。
アーム３は直線状になり、防水板２、底面と共に三角形を形成して水圧に対抗している。
もちろん反対方向からの水圧に対しても効力を発揮する。
水位Ｃに応じて、アーム３の数を増やして間隔を狭めることによって耐水圧強度を限りなく増大せしめることが可能であることも、本発明の特徴である。
【００２４】  図５は本発明の浸水防止装置の制御系統図である。
壁面Ｂに設けた縦枠１４にはスイッチボックス９が埋め込まれている。浸水時に蓋を開いてラッチ開放スイッチ１０を引くと（押す方式にしてもよい）ワイヤー１１がスプリングラッチ６を引っ張って、突出部分を底枠１３に引き込む仕組みである。
スプリングラッチ６が開放されることにより、アーム３が起動して浸水防止装置が瞬時に形成されるのである。
フレキシブルチューブ１２は屈曲自在で、ワイヤー１１を内包し、保護する。
なお、ワイヤー１１を、浸水感知センサーの信号を受けて電磁的に作動するソレノイドに連結することによって無人で本装置を起動せしめることが可能であり、防災面での画期的な役割が期待できる。
【産業上の利用可能性】
【００２５】    本発明により、緊急時に浸水防止扉を閉めることができる浸水防止装置を提供する。
【符号の説明】
【００２６】１        浸水防止装置
２        防水板
３        アーム
４        丁番
５        スプリング丁番
５ａ          上部スプリング丁番
５ｂ          中央スプリング丁番
５ｃ          下部スプリング丁番
６        スプリングラッチ
７        ラッチストッパー
８        水密ゴム
９        スイッチボックス
１０      ラッチ開放スイッチ
１１      ワイヤー
１２      フレキシブルチューブ
１３      底枠
１４      縦枠
Ａ        床面
Ｂ        壁面
Ｃ        水位
Ｄ        水圧
【図１】
2014092023.tif 000003
【図２】
2014092023.tif 000004
【図３】
2014092023.tif 000005
【図４】
2014092023.tif 000006
【図５】
2014092023.tif 000007